(57)【特許請求の範囲】
【請求項１】
被印刷媒体上にキャラクタを印刷可能な印刷装置において、
日本工業規格および各種団体規格のいずれかで定められた罫線間の幅の種類を示す複数の選択肢の中から１の選択肢を選択する選択手段と、
前記選択手段による選択結果に基づいて、前記被印刷媒体に印刷されたキャラクタの一行が占める幅である行幅を設定する行幅設定手段と、
前記行幅設定手段により設定された行幅で前記キャラクタを印刷する印刷手段と、
を備えたことを特徴とする印刷装置。
【請求項２】
前記選択手段には、前記行幅を前記罫線間の幅の整数倍または整数分の１倍とする複数の選択肢の中から１の選択肢を選択する手段が含まれることを特徴とする請求項１に記載の印刷装置。
【請求項３】
前記行幅×ｍ（ｍは１以上の整数）の値と前記罫線間の幅×ｎ（ｎは１以上の整数）の値とが一致するように、前記キャラクタのサイズを設定するキャラクタサイズ設定手段をさらに備えたことを特徴とする請求項１または２に記載の印刷装置。
【請求項４】
被印刷媒体上にキャラクタを印刷可能な印刷装置において、
前記被印刷媒体に印刷されたキャラクタの一行が占める幅である行幅を設定する行幅設定手段と、
前記行幅設定手段により設定された行幅で前記キャラクタを印刷する印刷手段と、を備え、
前記行幅設定手段は、前記キャラクタの縦サイズまたは横サイズが、所定の規格で定められた罫線間の幅のｋ倍（ｋは小数点第一位以下を切り捨てた整数）である場合、前記キャラクタが占有する行数を（ｋ＋１）に設定することを特徴とする印刷装置。
【発明の詳細な説明】
【０００１】
【発明の属する技術分野】
本発明は、収容された被印刷媒体を繰り出しながら、当該被印刷媒体上に任意サイズのキャラクタを印刷可能な印刷装置に関するものである。
【０００２】
【従来の技術】
従来、任意サイズのキャラクタをテープ等の被印刷媒体に印刷し、ラベルを作成する印刷装置が広く知られている。これらの印刷装置は、テープの繰り出し方向と平行な向きに横書きのキャラクタを印刷する場合、テープ幅に合わせて、印刷可能な文字サイズと、それに対応する行数が予め定められている。したがって、当然のことであるが、文字サイズが大きければ、印刷可能な行数は少なくなり、文字サイズが小さければ、印刷可能な行数は多くなる。すなわち、１行あたりの行幅は、テープ幅と文字サイズとによって決定されている。
【０００３】
【発明が解決しようとする課題】
ところで、図１９に示すように、上記のような印刷装置で作成されたテープを、ノートなど、所定の規格で定められた罫幅を有する用紙に貼着する場合がある。この場合、テープの行幅と、ノートの罫幅とが一致していないため、見栄えが損なわれてしまうと共に、貼着したテープの印刷内容に付随してメモなどを記入したい場合も、罫に跨って文字を記入しなければならない場合が多く、記入しづらいといった問題があった。
【０００４】
また、これを解決するため、テープの行幅をノートの罫幅に合わせようとしても、前述の通り、行幅は、テープ幅と文字サイズとによって決まるため、罫幅から適切なテープ幅と文字サイズとを逆算するには手間がかかってしまう。しかも、実際には、余白（行間隔）についても考慮する必要があるため、テープの行幅をノートの罫幅に合わせることは非常に困難であった。
【０００５】
本発明は、上記の問題点に鑑み、所定の規格で定められた罫幅に合わせてテープの行幅の設定を行うことのできる印刷装置を提供することを目的とする。
【０００６】
【課題を解決するための手段】
本発明の印刷装置は、被印刷媒体上にキャラクタを印刷可能な印刷装置において、日本工業規格および各種団体規格のいずれかで定められた罫線間の幅の種類を示す複数の選択肢の中から１の選択肢を選択する選択手段と、選択手段による選択結果に基づいて、被印刷媒体に印刷されたキャラクタの一行が占める幅である行幅を設定する行幅設定手段と、行幅設定手段により設定された行幅でキャラクタを印刷する印刷手段と、を備えたことを特徴とする。
上記に記載の印刷装置において、選択手段には、行幅を罫線間の幅の整数倍または整数分の１倍とする複数の選択肢の中から１の選択肢を選択する手段が含まれることが好ましい。
上記に記載の印刷装置において、行幅×ｍ（ｍは１以上の整数）の値と罫線間の幅×ｎ（ｎは１以上の整数）の値とが一致するように、キャラクタのサイズを設定するキャラクタサイズ設定手段をさらに備えたことが好ましい。
本発明の他の印刷装置は、被印刷媒体上にキャラクタを印刷可能な印刷装置において、被印刷媒体に印刷されたキャラクタの一行が占める幅である行幅を設定する行幅設定手段と、行幅設定手段により設定された行幅でキャラクタを印刷する印刷手段と、を備え、行幅設定手段は、キャラクタの縦サイズまたは横サイズが、所定の規格で定められた罫線間の幅のｋ倍（ｋは小数点第一位以下を切り捨てた整数）である場合、キャラクタが占有する行数を（ｋ＋１）に設定することを特徴とする。
なお、以下の構成としても良い。
本発明の印刷装置は、収容された被印刷媒体を繰り出しながら、当該被印刷媒体上に任意サイズのキャラクタを印刷可能な印刷装置において、所定の規格で定められた罫幅に合わせて行幅の設定を行う行幅設定手段と、前記行幅設定手段により設定された行幅で前記キャラクタを印刷する印刷手段と、を備えたことを特徴とする。
【０００８】
この印刷装置は、所定の規格で定められた罫幅に合わせて印刷物の行幅の設定を行うと共に、設定された行幅で前記キャラクタを印刷する。このため、例えば、キャラクタが印刷された印刷物を、罫を有するノートなどに貼着した場合、印刷物の行幅とノートの罫幅が一致するため見栄えがよくなる。また、印刷物の印刷内容に付随してメモなどを記入する場合も、印刷物の行幅とノートの罫幅が一致することにより、ノートの罫に跨って文字を記入することがないため、ノートを整然とまとめることができる。
【０００９】
なお、「行幅」とは、印刷されたキャラクタの一行が占める幅を指すものであり、実際に印刷物に行（罫）が印刷されててもいなくても良い。また、「所定の規格で定められた罫幅」とは、例えば、「日本工業規格（ＪＩＳ規格）」で定められた「Ａ罫（普通横罫）の７ｍｍ」、「Ｂ罫（中横罫）の６ｍｍ」および「Ｃ罫（細横罫）の５ｍｍ」の他、「日本紙製品工業会」の団体規格で定められた種々の罫幅をいう。さらに、国や会社によって、罫に関する規格が定められている場合は、それらによって定められた罫幅も含む。
【００１０】
請求項１に記載の印刷装置において、前記行幅設定手段には、数値指定によらず、前記所定の規格で定められた罫幅の種類を指定することによって、行幅の設定を行う手段が含まれることが好ましい。
【００１２】
この印刷装置は、数値指定によらず、所定の規格で定められた罫幅の種類を指定することによって、行幅の設定を行う。すなわち、行幅を「７ｍｍ」、「６ｍｍ」のように数値指定ではなく、「Ａ罫（普通横罫）」、「Ｂ罫（中横罫）」として指定することができるため、印刷物の行幅を「Ａ罫」の罫幅と一致させたい場合、「Ａ罫」の罫幅サイズが分からなくとも、容易に行幅の設定を行うことができる。
【００１３】
請求項１または２に記載の印刷装置において、前記行幅設定手段には、１行幅のサイズを前記所定の規格で定められた罫幅の１罫幅の整数倍として指定する手段が含まれることが好ましい。
【００１５】
この印刷装置は、１行幅のサイズを所定の規格で定められた罫幅の１罫幅の整数倍として指定することができる。したがって、例えば、キャラクタサイズを大きく設定したい場合、ノートの１罫幅の３倍の罫幅を印刷物の１行幅とするように指定することで、印刷物の１行幅がノートの罫幅の３行分と一致するため、見栄えがよくなる。
【００１６】
請求項１、２または３に記載の印刷装置において、前記キャラクタの印刷方向およびキャラクタ列の行方向を設定する印刷方向設定手段をさらに備えたことが好ましい。
【００１７】
また、請求項４に記載の印刷装置において、前記印刷方向設定手段には、キャラクタの上方向が前記被印刷媒体の繰り出し方向と一致する向きであって、且つキャラクタ列の行方向が前記被印刷媒体の繰り出し方向と直交する向きとなるように印刷方向を設定する手段が含まれることが好ましい。
【００１８】
また、請求項４または５に記載の印刷装置において、前記印刷方向設定手段には、キャラクタの上方向およびキャラクタ列の行方向が前記被印刷媒体の繰り出し方向と直交する向きとなるように印刷方向を設定する手段が含まれることが好ましい。
【００２０】
この印刷装置によれば、キャラクタの印刷方向およびキャラクタ列の行方向を設定することができる。すなわち、横書きのキャラクタ列を印刷する場合は、キャラクタの上方向が被印刷媒体の繰り出し方向と一致する向きであって、且つキャラクタ列の行方向が被印刷媒体の繰り出し方向と直交する向きとなるように設定し、縦書きのキャラクタ列を印刷する場合は、キャラクタの上方向およびキャラクタ列の行方向が被印刷媒体の繰り出し方向と直交する向きとなるようにそれぞれ設定することで、被印刷媒体サイズがその繰り出し方向に制限がない場合、行数を限りなく増加させることができる。したがって、印刷内容や印刷行数に合わせて、キャラクタの印刷方向を変更することで、ユーザの所望するサイズの印刷物を作成することができ、汎用性が向上する。
【００２１】
請求項１ないし６のいずれかに記載の印刷装置において、１のキャラクタのサイズを指定するキャラクタサイズ指定手段をさらに備えることが好ましい。
【００２２】
この構成によれば、キャラクタのサイズを指定することができるため、内容によって部分的にキャラクタサイズを大きくして強調するなど、視覚的にインパクトのある印刷物を作成することができる。
【００２３】
請求項７に記載の印刷装置において、キャラクタ列を行方向に配置する場合の配置基準となる線であって、且つ前記行方向と平行な線を基準線としたとき、隣り合う当該基準線間の距離をａ、前記所定の規格で定められた罫幅の１罫幅サイズをｂとすると、前記キャラクタサイズ指定手段には、前記ａ×ｍ（ｍは１以上の整数）の値と前記ｂ×ｎ（ｎは１以上の整数）の値とが一致するように、前記キャラクタのサイズを指定する手段が含まれることが好ましい。
【００２４】
この構成によれば、キャラクタ列を行方向に配置する場合の配置基準となる線であって、且つ行方向と平行な線を基準線としたとき、基準線間の距離ａ×ｍ（ｍは１以上の整数）の値と１罫幅サイズｂ×ｎ（ｎは１以上の整数）の値とが一致するように、キャラクタのサイズを指定することができる。したがって、例えば、基準線間の距離ａが３ｍｍで１罫幅サイズｂが７ｍｍのとき、ａとｂとの公倍数は、２１、４２・・・であるが、これら公倍数の中で「２１」という値になる場合（ａ×ｍとｂ×ｎの値が「２１」になる場合）を例に挙げると、ｍの値が７となり、ｎの値が３となる。すなわち、３罫幅サイズに７行のキャラクタ列が印刷可能となるようにキャラクタサイズを指定することができる。また、逆に、５罫幅サイズに２行のキャラクタ列を印刷するよう指定され、１罫幅サイズｂが７ｍｍの場合は、基準線間の距離ａが１７．５ｍｍ（ａ＝ｂ×５／２）となるように指定することができる。すなわち、キャラクタのサイズを自由に設定することができると共に罫幅と印刷物の行幅とのずれをできるだけ無くすことができるため、見栄えがよくなる。
【００２５】
なお、この場合、基準線間の距離ａに対してキャラクタが適度な余白を持って配置されるよう、キャラクタサイズが決定されることが好ましい。この構成によれば、行間隔が小さい場合に、文字が読みづらくなるなどの問題がなくなる。
【００２６】
請求項７または８に記載の印刷装置において、前記行幅設定手段には、前記キャラクタサイズ指定手段によるキャラクタの縦サイズまたは横サイズが、前記所定の規格で定められた罫幅の１罫幅サイズのｋ倍（ｋは小数点第一位以下を切り捨てた整数）である場合、前記キャラクタが占有する行数を（ｋ＋１）に設定する手段が含まれることが好ましい。
【００２７】
この構成によれば、キャラクタサイズ指定手段によるキャラクタの縦サイズまたは横サイズが、所定の規格で定められた罫幅の１罫幅サイズのｋ倍（ｋは小数点第一位以下を切り捨てた整数）である場合、キャラクタが占有する行数を（ｋ＋１）に設定することができる。したがって、例えば、横書きのキャラクタサイズが２０ポイントとして指定され、このときのキャラクタの縦サイズが１３ｍｍである場合であって、且つ「Ａ罫（７ｍｍ罫幅）」に合わせる場合を想定する。この場合、キャラクタの縦サイズ１３ｍｍは、１罫幅サイズ７ｍｍの１．８５７・・・倍であるため、これから小数点第一位以下を切り捨てた整数「１」に１を加えた「２」を、キャラクタが占める行数として設定する。すなわち、キャラクタサイズがいかなるサイズに設定された場合でも、キャラクタを１罫幅の整数倍のサイズに納めることができるため、ずれがなくなり見栄えが良くなる。
【００２８】
なお、上記の例の場合、２罫幅の１４ｍｍからキャラクタの縦サイズ１３ｍｍを差し引いた残りの１ｍｍについては、上下に均等に０．５ｍｍずつ余白として設定されることが好ましい、この構成によれば、より見栄えを良くすることができる。
【００２９】
請求項１ないし９のいずれかに記載の印刷装置において、前記キャラクタをデータ化したキャラクタデータを複数記憶すると共に、当該複数のキャラクタデータを１以上のグループに分類するグループ化データを記憶する記憶手段と、前記１以上のグループの中から１のグループを選択するグループ選択手段と、
をさらに備え、前記印刷手段は、前記グループ選択手段により選択された１のグループに属する前記複数のキャラクタデータに対応するキャラクタを印刷することが好ましい。
【００３０】
この印刷装置は、キャラクタをデータ化した複数のキャラクタデータと、キャラクタデータを１以上のグループに分類するグループ化データとを記憶している。そして、これら１以上のグループの中から１のグループを選択し、このグループに属する複数のキャラクタデータに対応するキャラクタを印刷する。したがって、例えば、いくつかのクラスの生徒名がキャラクタデータとして記憶され、そのクラス名をキャラクタデータと関連づけてグループ化データとして記憶されている場合、クラスを指定すると、そのクラスの生徒名が印刷される。すなわち、キャラクタデータがグループ化されているため、必要なグループだけを指定して、そのグループに属するキャラクタデータのみを印刷することができる。
【００３１】
なお、「グループ化データ」とは、グループ別に記憶された「キャラクタデータ」や、個々のキャラクタデータに対し、グループ別に異なった「識別子」を付すことでグループを分類する場合の「識別子」など、キャラクタデータをグループ化するために必要なデータを指すものである。
【００３２】
請求項１０に記載の印刷装置において、前記複数のキャラクタデータの印刷順序を、所定の順序規則にしたがって変更する印刷順序変更手段をさらに設け、前記印刷手段は、前記印刷順序変更手段により変更された印刷順序にしたがって印刷することが好ましい。
【００３３】
この構成によれば、複数のキャラクタデータの印刷順序を、所定の順序規則にしたがって変更すると共に、変更した印刷順序にしたがって印刷することができる。したがって、複数のキャラクタデータが生徒名であり、所定の順序規則が「五十音順」である場合、複数の生徒名を五十音順に変更して印刷することができる。すなわち、ランダムに記憶された複数のキャラクタデータを、ユーザの所望する順序で印刷することができる。
【００３４】
なお、「所定の順序規則」とは、上記の「五十音順」の他、キャラクタデータの内容によっては、「生年月日順」や、「（テスト結果などの）得点順」など、「順序を決定するための何らかの要素にもとづく規則」を指すものである。
【００３５】
請求項１０または１１に記載の印刷装置において、前記記憶手段は、前記複数のキャラクタデータを識別するための識別データを、当該キャラクタデータ毎に関連づけて記憶する手段をさらに備え、前記印刷手段は、前記キャラクタデータに関連づけられた前記識別データの内容または有無にしたがって、当該キャラクタデータ毎に、対応するキャラクタを印刷するか否かを判断することが好ましい。
【００３６】
この構成によれば、複数のキャラクタデータを識別するための識別データを、キャラクタデータ毎に関連づけて記憶し、識別データの内容または有無にしたがって、キャラクタデータ毎に、対応するキャラクタを印刷するか否かを判断することができる。したがって、例えば、複数のキャラクタデータが生徒名であり、これらのキャラクタデータを識別する識別データが、クラス名である場合、識別データの内容が「クラスＡ」であるか否かを判断し、「クラスＡ」である場合のみ、その生徒名を印刷するなど、データを識別して印刷することができる。
【００３７】
また、例えば、複数のキャラクタデータが生徒名であり、識別データが、運動部に属しているか否かを示すもの（運動部に属している場合は「１」、運動部に属していない場合は「０」または「識別データなし」など）である場合、識別データが「運動部に属していない（「０」または「識別データなし」）」である場合のみ生徒名を印刷することができる。すなわち、ユーザの所望する内容のキャラクタデータのみを抽出して印刷することができる。
【００３８】
請求項１２に記載の印刷装置において、前記キャラクタデータ、前記グループ化データ、前記識別データのうち少なくとも１以上のデータを入力可能な入力手段をさらに備え、前記入力手段により入力された前記データを前記記憶手段に記憶させることが好ましい。
【００３９】
この構成によれば、キャラクタデータ、グループ化データ、識別データのうち少なくとも１以上のデータを入力可能であり、入力したこれらのデータを記憶させることができる。したがって、例えば、キャラクタデータとして自分の友人名を入力したり、グループ化データとしてそれぞれのキャラクタデータ（友人名）毎に学校名を入力したり、識別データとして男子のみに記号を入力したりすることができる。さらに、入力したこれらのデータを記憶させることができる。すなわち、ユーザのニーズに合わせて、キャラクタデータ、グループ化データ、識別データを入力し、これらを記憶することができる。
【００４０】
請求項１ないし１３のいずれかに記載の印刷装置において、前記印刷手段には、前記複数のキャラクタデータを一覧表形式で印刷する手段が含まれることが好ましい。
【００４１】
この構成によれば、複数のキャラクタデータを一覧表形式で印刷することができるため、複数のキャラクタデータを素早く確認することができる。
【００４２】
請求項１ないし１４のいずれかに記載の印刷装置において、前記被印刷媒体は、印刷面となる受像層と、その裏面側に形成された粘着材層と、さらにその裏面側に形成された剥離紙層とにより構成され、前記剥離層から前記受像層および前記粘着材層を剥離することにより貼着対象物に貼着可能であることが好ましい。
【００４３】
この構成によれば、被印刷媒体が、印刷面となる受像層と、その裏面側に形成された粘着材層と、さらにその裏面側に形成された剥離紙層とにより構成されるため、剥離層から受像層および粘着材層を剥離するだけで、作成された印刷物（受像層）を容易に貼着対象物に貼着することができる。
【００４４】
請求項１５に記載の印刷装置において、前記被印刷媒体を、任意のサイズに切断する切断手段と、前記被印刷媒体を貼着するための貼着対象物のサイズを指定する貼着対象物サイズ指定手段と、をさらに備え、前記切断手段は、前記貼着対象物サイズ指定手段により指定されたサイズに貼着可能なサイズに前記被印刷媒体を切断することが好ましい。
【００４５】
この構成によれば、被印刷媒体を、指定された貼着対象物のサイズに貼着可能なサイズに切断することができる。したがって、例えば、貼着対象物の大きさを一号（Ａ４：縦２９７ｍｍ×横２１０ｍｍ）と指定した場合、被印刷媒体を一号サイズよりも小さく（例えば、縦２８０ｍｍ×横１９０ｍｍなど）、切断することができる。すなわち、被印刷媒体を、貼着対象物からはみ出さないサイズに切断することができる。
【００４６】
なお、貼着対象物のサイズ指定は、縦サイズまたは横サイズのいずれか一方のみの指定であってもよい。また、「一号（Ａ４）」、「三号（Ａ５）」など、ＪＩＳ規格で定められたサイズで指定しても良いし、貼着対象物の縦・横の長さを直接数値入力で指定するようにしても良い。
【００４７】
これらの場合、前記被印刷媒体は透明度の高い材質であることが好ましい。
【００４８】
この構成によれば、被印刷媒体は透明度の高い材質であるため、被印刷媒体を貼着対象物に貼着した場合、貼着対象物の罫が透けて見えるため、貼着対象物の罫をそのまま生かすことができる。また、無色透明の被印刷媒体を用いれば、貼着した被印刷媒体を目立たなくすることができる。
【００４９】
これらの場合、前記被印刷媒体はテ−プ状部材であることが好ましい。
【００５０】
この構成によれば、被印刷媒体がテープ状部材であるため、テープ印刷装置に利用することができ、ラベルなどを作成する場合に便利である。また、被印刷媒体を巻回して印刷装置内に収容すれば、装置構成をコンパクトにすることができる。
【００５１】
【発明の実施の形態】
以下、本発明の一実施形態に係る印刷装置について、添付図面を参照しながら詳細に説明する。
【００５２】
図１および図２は、本実施形態におけるテープ印刷装置の全体および開閉蓋を開けたときの外観構成を示し、図３は、その制御系のブロック図である。図１および図２に示すように、このテープ印刷装置１は、上下２分割の装置ケース２により外殻が形成され、装置ケース２の前部上面には各種入力キーから成るキーボード３を備えている。後部上面は、その左部に開閉蓋２１が取り付けられ、その右部にディスプレイ４が配設されている。
【００５３】
また、図３に示すように、基本的な構成として、キーボード３やディスプレイ４を有してユーザとのインタフェースを行う操作部１１、印刷ヘッド（サーマルヘッド）７やテープ送り部１２０を有してポケット６内に装着したテープカートリッジＣの印刷用テープ（以下単に「テープ」）Ｔに印刷を行う印刷部１２、印刷後のテープＴの切断を行う切断部１３、各種センサを有して各種検出を行う検出部１４、各種ドライバを有して各部回路を駆動する駆動部２７０、および、テープ印刷装置１内の各部を制御する制御部２００を備えている。このため、装置ケース２の内部には、印刷部１２、切断部１３、検出部１４などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００５４】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００５５】
図２および図３に示すように、印刷部１２には、開閉蓋２１の内側に、テープカートリッジＣを装着するためのポケット６が設けられていて、テープカートリッジＣはこの開閉蓋２１を開放した状態でポケット６に対して着脱される。テープカートリッジＣには、カートリッジケース５１の内部に一定の幅（４．５ｍｍ〜４８ｍｍ程度）のテープＴとインクリボンＲとを収容されており、また、ポケット６に配設されたヘッドユニット６１に差し込むための貫通孔５５が形成されている。また、相異なる幅等のテープＴの種別を識別できるように、裏面に小さな複数の孔が設けられ、ポケット６には、この孔の有無を検出するマイクロスイッチなどのテープ識別センサ１４２が設けられていて、これにより、テープＴの種別を検出できるようになっている。
【００５６】
テープＴは、印刷面となる受像層Ｔａと、その裏面側に形成された粘着材層Ｔｂと、さらにその裏面側に形成された剥離紙層Ｔｃとにより構成されている（図１１（ａ）および（ｂ）参照）。テープＴとインクリボンＲは、貫通孔５５の位置で相互に重なり合った状態で走行するとともに、テープＴのみが外部に排出され、インクリボンＲは内部で巻き取られるようになっている。外部に排出されたテープＴは、剥離紙層Ｔｃを剥がして貼付対象物に貼付される。
【００５７】
ヘッドユニット６１には、サーマルヘッドから成る印刷ヘッド７が内蔵されており、テープカートリッジＣがポケット６に装着された状態で、印刷ヘッド７が、テープカートリッジＣの貫通孔５５から露出しているインクリボンＲの裏面に当たるようになっている。そして、印刷ヘッド７を発熱駆動することにより、所望の文字などがテープＴの表面に印刷される。また、装置ケース２の左側部には、ポケット６と装置外部とを連通するテープ排出口２２が形成され、テープ排出口２２には、送りだしたテープＴを切断するテープカッタ１３２（図示省略）が臨んでいる。
【００５８】
また、ポケット６には、装着されたテープカートリッジ４の被駆動部が係合する駆動軸６２、６３などが設けられており、送りモータ１２１を駆動源として、これらの駆動軸６２、６３により、テープカートリッジＣ内のテープＴおよびインクリボンＲの送りが行われ、かつこれらに同期して印刷ヘッド７を駆動することで、印刷が行われる。また、印刷完了後、テープＴの送りが続行され所定の切断位置がテープカッタ１３２の位置まで送られる。
【００５９】
なお、送りモータ１２１の先端には図外の検出開口が形成された円盤が固着され、その検出開口に臨むようにフォトセンサ等を有する回転速度センサ１４１が設けられていて、送りモータ１２１の回転速度を検出して制御部２００に報告する。
【００６０】
切断部１３は、テープカッタ１３２と、任意長印刷などの場合に手動によりテープカッタ１３２を切断動作させるカットボタン１３３と、定長印刷などの場合に自動的にテープカッタ１３２を切断動作させるカッタモータ１３１と、を備えている。また、これにより、テープ印刷装置１では、モード設定によって、自動／手動を切り替えられるようにしている。このため、手動カットの場合、印刷が完了した時点で、ユーザが、装置ケース２に配設されたカットボタン１３３を押すことで、テープカッタ１３２が作動しテープＴが所望の長さに切断される。また、自動カットの場合、印刷が終了して余白分だけテープ送りされ、それが停止すると同時に、カッタモータ１３１が駆動され、テープＴの切断が行われる。
【００６１】
また、テープカッタ１３２は、テープＴを切断（フルカット）するテープカッタ１３２と、テープＴの受像層のみを切断（ハーフカット）するテープカッタ１３２との２種類のテープカッタ１３２により構成され、これらのテープカッタ１３２は、必要に応じていずれか一方のみが駆動される。
【００６２】
検出部１４は、前述の回転速度センサ１４１、テープ識別センサ１４２を備えている。なお、実状に合わせて、これらを省略した構成とすることもできる。
【００６３】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示にしたがって、操作部１１のディスプレイ４を駆動する。同様に、ヘッドドライバ２７２は、制御部２００の指示にしたがって、印刷部１２の印刷ヘッド７を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、制御部２００の指示にしたがって、各モータを駆動する。
【００６４】
操作部１１は、キーボード３とディスプレイ４とを備えている。ディスプレイ４は、横方向（Ｘ方向）約６ｃｍ×縦方向（Ｙ方向）４ｃｍの長方形の形状の内側に、９６ドット×６４ドットの表示画像データを表示可能な表示画面４１を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００６５】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。機能キー群３２には、キャラクタデータをグループ別に分類したグループデータの登録、印刷、修正等を指示する「グループ」キーや印刷実行を指示する「印刷実行」キーの他、漢字変換や機能を選択する場合に、表示されている選択肢を選択する「選択」キー、カーソル位置の文字を削除したり各種機能の操作中に操作の取り消しを行う「削除」キー、次に入力されるキャラクタ位置や操作の対象となる位置を示すカーソルＫを移動するための「カーソル」キー（「↑」、「↓」、「→」、「←」）などが含まれる。なお、当然ながら、一般的なキーボードと同様に、これらのキー入力は、各キー入力毎に個別にキーを設けて入力しても良いし、シフトキー等と組み合わせてより少ない数のキーを用いて入力しても良い。図３に示すように、キーボード３は、種々の指令およびデータを制御部２００に入力する。
【００６６】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、キャラクタ一覧テーブル、グループ化されたキャラクタデータ（グループデータ）、色変換テーブルおよび文字修飾テーブルを含む制御データを記憶する制御データ領域２２２を有している。ＣＧ−ＲＯＭ２３０は、テープ印刷装置１に用意されている記号、図形等のビットマップデータを記憶していて、文字等を特定するコードデータが与えられたときに、対応するビットマップデータを出力する。
【００６７】
ＲＡＭ（記憶装置）２４０は、電源キーの操作により電源がオフにされても、記憶したデータを保持しておくように図外のバックアップ回路によって電源の供給を受けており、各種レジスタ群２４１や、ユーザがキーボード３から入力した文字等のキャラクタデータを記憶するキャラクタデータ領域２４２、登録されたグループデータを記憶するグループデータ領域２４３、表示画面４１の表示画像データを記憶する表示画像データ領域２４４、印刷画像データを記憶する印刷画像データ領域２４５、描画登録画像データを記憶する描画登録画像データ領域２４６の他、印刷履歴データ領域２４７やその他の色変換バッファなどの各種変換バッファ領域２４８などの領域を有し、制御処理のための作業領域として使用される。
【００６８】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００６９】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのビットマップデータ、ＲＡＭ２４０内の各種データ等を処理し、Ｐ−ＣＯＮ２５０を介して駆動部２７０に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００７０】
ここで、テープ印刷装置１を使用した印刷方法について説明する。本発明のテープ印刷装置１は、前述の通り、所定の規格で定められた罫幅に合わせてテープＴの行幅の設定を行い、設定した行幅で任意サイズのキャラクタをテープＴに印刷するものである。そこで、図４ないし図９に示すように、画面４１の表示を参照しながら操作手順にしたがって本発明の印刷方法を説明する。
【００７１】
図４に示すように、電源をＯＮにすると、最初に「テキスト入力画面」を表示する（Ｄ１１）。「テキスト入力画面」では、１行目のキャラクタの入力であることを示す四角付数字「１」と、カーソルＫとを表示する。ここでは、四角付数字「１」にカーソルＫが付されているため、次に入力されるキャラクタは、四角付数字「１」の右隣に表示する。
【００７２】
ここで、ユーザにより「グループ」キーが押下されると、「グループ処理選択画面」に遷移する（Ｄ１２）。ここでは、「グループ」キーが押下されたことを示す「グループ」の文字の他、選択肢として「登録」、「修正」、「印刷」を表示し、このうち、「登録」をデフォルト値（直近アクセス値）として反転表示している。このデフォルト値を選択する場合は、図示の状態（反転表示の状態）でユーザにより「選択」キーが押下される。
【００７３】
また、他の選択肢を選択する場合は、ユーザにより「カーソル」キー等が押下される。画面４１上は、これに伴って選択肢を次々と網掛表示し、ユーザが「選択」キーを押下した時点で網掛表示していた選択肢を選択する（選択肢にしたがって処理を実行する）（以下、選択肢の選択は同様の操作で行われるため、これらの説明を省略し、単に「選択する」または「「選択」キーを押下する」という）。ここでは、「登録」が選択されるため、「カーソル」キー等が押下されることなく、図示の状態で「選択」キーが押下される。
【００７４】
なお、この「グループ処理選択画面」（Ｄ１２）では、画面４１上に表示されている「登録」、「修正」、「印刷」の他、「消去」、「複写」が選択可能となっている。各選択肢の処理内容は図１０（ａ）に示すとおりであり、詳細な説明については省略する。
【００７５】
「グループ処理選択画面」（Ｄ１２）において、「登録」が選択されると、「グループ登録画面に遷移する（Ｄ１３）。「グループ登録画面」では、グループを登録する処理を行うことを示す「グループ登録」の文字の他、グループ番号を示す四角付「０２」を反転表示する。これは、既にグループ番号「０１」が登録されており、次に登録可能な登録番号の最小値が「０２」であることを示している。ここでは、ユーザにより「選択」キーが押下され、グループ番号０２のグループ（以下、「Ｇ０２」という）にデータが登録されるものとする。
【００７６】
なお、ここで、「Ｇ０２」ではなく、他のグループにデータの登録を行いたい場合、ユーザは、図示（Ｄ１３）の状態で、カーソルキーを押下して反転表示「０２」を「０３」、「０４」・・・と変化させ、所望するグループ番号が反転表示された時点で「選択」キーを押下すればよい。
【００７７】
グループ番号を指定すると、次に、グループ名を入力する画面４１に遷移する（Ｄ１４）。ここでは、「グループ名」の文字を表示すると共に、「[」マークにカーソルＫを付す。このカーソルＫの位置に、キーボード３上のキーの押下によってグループ名が入力され、入力に伴ってカーソルＫが移動する。ここで、グループ名が「３年３組名簿」と入力され（Ｄ１５）、「選択」キーが押下されると、「Ｇ０２登録画面」に遷移する（Ｄ１６）。
【００７８】
「Ｇ０２登録画面」では、「Ｇ０２」の登録であることを示す「Ｇ０２登録」の文字の他、「Ｎｏ．」に続けて登録番号を示す四角付「０１」を反転表示する。これは、グループ番号「０２」のグループの中の登録番号「０１」が登録可能であることを示している。ここでは、登録番号「０１」を登録するため、ユーザにより「選択」キーが押下される。なお、「Ｇ０２登録画面」では、データ１〜３の３つのデータが入力可能となっているが、ここでは、データ１と２の入力を示す「データ１[」と「データ２[」のみを表示している（「データ３」は、この段階では表示しない）。
【００７９】
「Ｇ０２登録画面」（Ｄ１６）において、ユーザにより「選択」キーが押下されると、図５に示すように、反転表示していた「０１」を普通表示にすると共に、「データ１」の「[」マークにカーソルＫを付す（Ｄ１７）。これは、「データ１」の入力が可能であることを示している。なお、この状態で、カーソルキー（「↓」ｏｒ「→」ｏｒ「変換」キー）を押下してカーソルを所望のデータ番号に移動することにより、「データ１」からではなく、「データ２」または「データ３」からデータ入力を開始することも可能である。
【００８０】
ここでは、「データ１」として氏名「山田  太郎」が入力される（Ｄ１８）。入力が完了すると、「選択」キーが押下され、続いて、「データ２」の入力が促される（Ｄ１９）。「データ２」では、「データ１」に入力した名前の人物の所属部が入力され、ここでは「バレー部」と入力される（Ｄ２０）。同様に、「選択」キーが押下されると、「データ３」の入力が促され（Ｄ２１）、「データ１」に入力した名前の人物の所属委員が入力される。ここでは、「広報委員」と入力される（Ｄ２２）。
【００８１】
なお、必ずしもデータ１〜３の全てデータについて入力が行われなくても良い。すなわち、「山田  太郎」がいずれの部活動にも所属していない場合は、「データ２」の欄は空欄のままでよい。また、データ１〜３だけではなく、入力できるデータ数を増やしても良い。この構成によれば、各人の住所や電話番号など、さらに詳細な情報までも管理することができると共に、これらを印刷対象とすることができる。
【００８２】
データ１〜３の入力が完了した後、「選択」キーが押下されると、図６に示すように「登録実行画面」に遷移する（Ｄ２３）。ここでは、登録を実行していることを示す「登録実行」の文字の他、登録番号「０１」が登録されていることを示す「Ｎｏ．０１」を表示する。この画面４１（「登録実行画面」）に遷移して、０．７５秒ほど経過すると、「Ｇ０２登録画面（登録番号０２）」に遷移する（Ｄ２４）。
【００８３】
「Ｇ０２登録画面」では、図４の（Ｄ１６）の画面４１と同様に、「Ｎｏ．」に続けて登録番号を示す四角付「０２」を反転表示する。ここでは、登録番号「０２」の登録は行わないため（図１０（ｂ）参照）、ユーザによりカーソルキー（「↓」ｏｒ「→」ｏｒ「変換」キー）が１回押下され、四角付「０３」を反転表示した状態（Ｄ２５）で「選択」キーが押下される。すると、図５の（Ｄ１７）の画面４１と同様に、登録番号「０３」の「データ１」の入力を促す画面４１に遷移し（Ｄ２６）、以降データ１〜３の入力が行われる。その後、（Ｄ１７）〜（Ｄ２３）の操作が数回繰り返されることにより「Ｇ０２」に複数のグループデータが登録される。登録されたグループデータの一部は、図１０（ｂ）に示すとおりである。
【００８４】
なお、データ１〜３に入力可能な文字数の制限（例えば各データ全角２０文字までなど）を加えるようにしてもよい。この構成によれば、データを記憶する内蔵メモリ（グループデータ領域２４３）の容量を、ある程度特定することができる。
【００８５】
また、内蔵メモリではなく、外部記憶装置等を接続可能に構成し、登録したデータを外部記憶装置に記憶させ、必要に応じてデータの読み込みができるよう構成しても良い。この構成によれば、内蔵メモリの容量を必要最小限に留めることができる。
【００８６】
次に、図７〜９を参照して、登録したデータの呼び出しおよび印刷方法について説明する。なお、ここでは図１１（ａ）に示す印刷物を作成するものとして説明する。図７に示すように、「テキスト入力画面」（Ｄ３１：図４のＤ１１と同様）において、「グループ」キーが押下されると、「グループ処理選択画面」に遷移する（Ｄ３２：図４のＤ１２と同様）。ここで、ユーザによりカーソルキー（「↓」ｏｒ「→」ｏｒ「変換」キー）が２回押下されると、選択肢「印刷」を網掛表示し（Ｄ３３）、「選択」キーが押下されると、「グループ印刷画面」に遷移する（Ｄ３４）。
【００８７】
「グループ印刷画面」（Ｄ３４）では、グループ印刷を行うことを示す「グループ印刷」の文字の他、グループ番号「０１」が印刷対象であることを示す四角付「０１」を反転表示する。ここでは、前述した操作（図４〜６参照）で登録した「Ｇ０２」の印刷を行うため、カーソルキー（「↓」ｏｒ「→」ｏｒ「変換」キー）が１回押下されて、グループ番号「０２」が印刷対象であることを示す四角付「０２」を反転表示する（Ｄ３５）。
【００８８】
ここで、「選択」キーが押下されると、「Ｇ０２印刷画面」に遷移する（Ｄ３６）。「Ｇ０２印刷画面」では、「Ｇ０２」の印刷を行うことを示す「Ｇ０２印刷」の文字の他、選択肢として「一部」と「全部」を表示する。「一部」とは、データ１〜３のうちのいずれか１つまたは２つのデータを印刷するものであり、「全部」とは、入力したデータの全て（データ１〜３）を印刷するものである。ここでは、「データ１」と「データ３」の印刷が行われるため、デフォルト値の「一部」を反転表示した状態で「選択」キーが押下される。
【００８９】
続いて、図８に示すように、「印刷選択画面」に遷移する（Ｄ３７）。「印刷選択画面」では、印刷するデータ、またはデータの組み合わせが選択される。ここでは、表示されている「データ１」、「データ１＋２」、「データ１＋３」の他、「データ２」、「データ２＋３」、「データ３」が選択可能となっている。なお、これらの他に、「データ２＋１」、「データ３＋２」など、印刷される順序を逆にした組み合わせを加えても良い。
【００９０】
ここでは、デフォルト値の「データ１」を反転表示した状態（Ｄ３７）から、カーソルキー（「↓」ｏｒ「→」ｏｒ「変換」キー）が２回押下され、「データ１＋３」を網掛表示した状態（Ｄ３８）で「選択」キーが押下される。なお、「Ｇ０２選択画面」（図７のＤ３６）において、「全部」が選択された場合は「印刷選択画面」（Ｄ３７およびＤ３８）には遷移せず、後述する「識別データ選択画面」（Ｄ３９）に直接遷移する。
【００９１】
「識別データ選択画面」（Ｄ３９）に遷移すると、識別対象となるデータの選択を行う画面４１であることを示す「識別データ選択」の文字の他、選択肢として、「識別なし」、「データ１」、「データ２」を表示する（「データ３」はこの段階では表示しない）。ここで、「識別なし」とは、データの識別を行うことなく、指定されたデータ（「データ１」および「データ３」）の全てを印刷するものである。ここでは、委員会に所属している者のみを識別して印刷したいため（所属委員会は「データ３」に入力されている：図１０（ｂ）参照）、デフォルト値の「識別なし」が反転表示した状態から、カーソルキー（「↓」ｏｒ「→」ｏｒ「変換」キー）が３回押下され、「データ３」を網掛表示した状態（Ｄ４０）で「選択」キーが押下される。
【００９２】
次に、「識別内容選択画面」に遷移すると、識別する内容を選択する画面４１であることを示す「識別内容選択」の文字の他、選択肢として「データの有無」と「キーワード」を表示する（Ｄ４１）。ここで、「データの有無」とは、データが入力されているか否かによって、データを識別する（印刷するか否かを判断する）ものであり、「キーワード」とは、データ内に指定する「キーワード」が含まれているか否かによって、データを識別する（印刷するか否かを判断する）ものである。ここでは、委員会に所属している者のみを識別して（＝「データ３」が入力されているものを識別して）印刷したいため、デフォルト値の「データの有無」を反転表示した状態で、「選択」キーが押下される。
【００９３】
すると、データの有無のうち、いずれに属するものを印刷するかを選択する画面４１に遷移し（Ｄ４２）、ここでは、委員会に所属している者のみを識別する（＝「データ３」が入力されているものを識別する）ため、デフォルト値の「データあり」を反転表示した状態で、「選択」キーが押下される。なお、識別内容を選択する（Ｄ４１）と（Ｄ４２）の画面を分けず（別階層とせず）、同一の画面で処理しても良い（（Ｄ４１）の画面において、選択肢を「データあり」、「データなし」および「キーワード」としても良い）。
【００９４】
続いて、図９に示すように、「印刷方向選択画面」に遷移すると、印刷方向を選択する画面４１であることを示す「印刷方向選択」の他、選択肢として「縦型よこ書」、「横型たて書」および「縦型たて書」を表示する（Ｄ４３）。ここでは、この他、「横型よこ書」が選択可能となっているが、これらの選択肢はこの段階では表示しない。
【００９５】
それぞれの選択肢を選択した場合の印刷結果は、図１７（ａ）〜（ｄ）に示すとおりであり、後述の操作において（ａ）「縦型よこ書」と（ｂ）「横型たて書」の場合は、テープＴの繰り出し方向に対して直交する向きの行に対して行幅の設定を行い、（ｃ）「縦型たて書」と（ｄ）「横型よこ書」の場合は、テープＴの繰り出し方向と一致する向きの行に対して行幅の設定を行う。なお、ここで、（ａ）「縦型よこ書」または（ｂ）「横型たて書」を選択すれば、テープＴの繰り出し方向に制限がないため、行数を限りなく増加させることができる。したがって、ここでは、印刷内容や印刷行数に合わせて、キャラクタの印刷方向を選択することが好ましい。
【００９６】
「印刷方向選択画面」（Ｄ４３）では、デフォルト値の「縦型よこ書」を反転表示した状態で、ユーザにより「選択」キーが押下され、「対応サイズ選択画面」に遷移する（Ｄ４４）。「対応サイズ選択画面」では、貼着対象物Ｎのサイズを選択する画面４１であることを示す「対応サイズ選択」の文字の他、選択肢として、「１号（Ａ４）」、「３号（Ａ５）」および「４号（Ｂ６）」を表示する。ここでは、この他、図１０（ｃ）に示す選択肢が選択可能となっているが、この段階ではこれらの選択肢は表示しない。
【００９７】
なお、ここで表示する対応サイズの選択肢はこれに限定されない。また、選択肢を号数のみで表示したり、縦と横の長さを併記したりしても良い。また、「印刷方向選択画面」（Ｄ４３）において、（ａ）「縦型よこ書」と（ｂ）「横型たて書」を選択した場合は、印刷後のテープＴの長さを、図１０（ｃ）の表に示す縦の長さよりも数十ミリ短く設定し、（ｃ）「縦型たて書」と（ｄ）「横型よこ書」を選択した場合は、印刷後のテープＴの長さを、図１０（ｃ）の表に示す横の長さよりも数十ミリ短く設定する。
【００９８】
「対応サイズ選択画面」（Ｄ４４）では、デフォルト値の「１号（Ａ４）」を反転表示した状態で「選択」キーが押下され、「対応罫幅選択画面」に遷移する（Ｄ４５）。「対応罫幅選択画面」では、貼着対象物Ｎの罫幅を選択する画面４１であることを示す「対応罫幅選択」の他、選択肢として、「７ｍｍ罫（Ａ罫）」、「６ｍｍ罫（Ｂ罫）」および「５ｍｍ罫（Ｃ罫）」を表示する。ここでは、この他、図１０（ｄ）に示す選択肢が選択可能となっているが、この段階ではこれらの選択肢は表示しない。
【００９９】
なお、ここで表示する罫幅の選択肢はこれに限定されない。また、選択肢を、ＪＩＳ規格の表記（「Ａ罫」、「Ｂ罫」など）のみや罫幅（「７ｍｍ」、「６ｍｍ」など）のみで表示しても良い。また、「印刷方向選択画面」（Ｄ４３）において、（ａ）「縦型よこ書」と（ｂ）「横型たて書」を選択した場合は、テープＴの繰り出し方向と直交する向きの行幅に対応する罫幅を選択し、（ｃ）「縦型たて書」と（ｄ）「横型よこ書」の場合は、テープＴの繰り出し方向と一致する向きの行幅に対応する罫幅を選択する。
【０１００】
「対応罫幅選択画面」（Ｄ４５）では、デフォルト値の「７ｍｍ幅（Ａ罫）」を反転表示した状態で、ユーザにより「選択」キーが押下され、「行幅倍率選択画面」に遷移する（Ｄ４６）。「行幅倍率選択画面」では、（Ｄ４５）で選択された罫幅に対して、１行幅を何倍のサイズに設定するかを選択することを示す「行幅倍率選択」の他、選択肢として、「１罫」、「２罫」および「１／２罫」を表示する。ここでは、この他、「３罫」、「１／３罫」、「４罫」および「１／４罫」が選択可能となっているが、この段階ではこれらの選択肢は表示しない。また、ここで選択可能な行幅の選択肢はこれに限定されない。
【０１０１】
ここで、仮に「１／２罫」が選択された場合、貼着対象物Ｎの１罫幅と、テープＴの２行幅とが同一のサイズとなるよう、行幅の設定を行う（図１５（ａ）および（ｂ）参照）。このように、キャラクタの縦サイズまたは横サイズを罫幅単位で大きくするよう指定することで、ユーザは印刷されるキャラクタのサイズを容易に想定することができると共に、貼着対象物Ｎの罫幅とテープＴの行幅とのずれがなくなるため、見栄えを向上させることができる。
【０１０２】
なお、この場合、指定された罫幅サイズに対してキャラクタが適度な余白を持って配置されるよう、キャラクタサイズが決定されることが好ましい。この構成によれば、行間隔が小さいために、文字の一部が重なって読みづらくなるなどの問題がなくなる。
【０１０３】
「行幅倍率選択画面」（Ｄ４６）では、デフォルト値の「１罫」を反転表示した状態で、ユーザにより「印刷」キーが押下され、「印刷実行画面」に遷移する（Ｄ４７）。ここでは、印刷を実行中であることを示す「印刷実行」を表示する他、「準備中」を網掛表示する。印刷は数秒ほどで完了し、適当な位置で切断されて、図１１（ａ）および（ｂ）に示すように、印刷対象となるデータが一覧形式で印刷された印刷物（テープＴ）が作成される（設定内容は、「印刷範囲」：データ１＋３、「識別データ」：データ３（所属委員会）、「識別内容」：データあり、「印刷方向」：縦型よこ書、「対応サイズ」：１号（Ａ４）、「対応罫幅」：７ｍｍ幅（Ａ罫）、「行幅」：１罫」）。また、印刷が完了すると、画面４１は「Ｇ０２選択画面」に戻る（遷移する）（Ｄ４８：図７のＤ３６と同様）。
【０１０４】
作成されたテープＴは、同図（ｃ）に示すように、裏面の剥離層Ｔｃを剥離して、貼着対象物Ｎに貼着される。なお、このとき、テープＴを透過して見た場合に印刷されたキャラクタが罫と罫との間に収まるよう、上下方向に留意しながら貼着されることが好ましい。これにより、貼着対象物ＮにテープＴを貼着したときの見栄えを良くすることができる。
【０１０５】
また、同図に示すように、印刷物の印刷内容に付随してメモなどを記入する場合も、印刷物の行幅とノートの罫幅が一致することにより、ノートの罫に跨って文字を記入することがないため、ノートを整然とまとめることができる。
【０１０６】
なお、上述の操作において、例えば「印刷方向選択画面」（図９のＤ４３）において、「横型たて書」が選択された場合は、図１２（ａ）に示すような印刷結果が得られる。また、「Ｇ０２選択画面」（図７のＤ３６）において、「全部」が選択された場合は、図１２（ｂ）に示すような印刷結果が得られる。なお、この場合、テープ識別センサ１４２によりテープ幅を検出し、検出したテープ幅に合わせて文字サイズが決定されることが好ましい。
【０１０７】
また、本実施例の応用例として、図１３（ａ）に示すように、データ１〜３を横方向に並記する（図１２（ｂ）参照）のではなく、縦方向に並記するような構成としても良い。さらに、図１３（ｂ）に示すように、登録されていない番号のデータ記載部分を空欄として、登録番号のみを印刷するようにしても良い。
【０１０８】
また、図１４（ａ）に示すように、登録した「グループ名」（図４のＤ１４およびＤ１５参照）を、「一覧名」として印刷するようにしても良い。さらに、図１４（ｂ）に示すように、行や列の線を加えて、表形式にして印刷するようにしても良い。また、この場合、データ毎に「データ名」（「氏名」、「所属委員」など）を登録できるようにし、それを印刷可能に構成することが好ましい。この構成によれば、より見やすく、且つ分かりやすい一覧表を作成することができる。
【０１０９】
さらに、図１４（ｃ）および（ｄ）に示すように、行毎にテープＴをハーフカットし（図示点線部）、一行毎に切り離して貼着対象物Ｎに貼着できるよう構成しても良い。
【０１１０】
また、図１５（ａ）に示すように、データとして、歴史の年号と、事件の内容を登録しておけば、歴史年表を作成することができる。この場合、歴史の年号を仮に「データ１」としたとき、「データ１」の内容をそのまま印刷したり（同図（ａ）参照）、「データ１」を空欄にして印刷したり（同図（ｂ）参照）などの設定ができるよう構成されることが好ましい。さらに、このようにテープＴの２行幅と貼着対象物Ｎの１罫幅が一致するように設定した場合、同図（ａ）に示すように、１罫幅に２行ずつ詰めて印刷する方法と、同図（ｂ）に示すように、１罫幅に一事件ずつ（１事件が１行で収まる場合は、１行分が空欄となる）印刷する方法とを選択できるよう構成しても良い。
【０１１１】
また、同図に示すように、被印刷媒体として透明テープを用いれば貼着対象物Ｎの罫が透けて見えるため、貼着対象物Ｎの罫をそのまま生かすことができると共に、貼着した被印刷媒体を目立たなくすることができる。
【０１１２】
また、文字サイズをデータ毎に変更可能で、且つデータを並記する方向を選択可能に構成すれば、図１６に示すようなテープＴを作成することも可能である。作成方法は、まず、グループ名を「２０００年１１月」、登録番号０１の「データ１」を「６」、「データ２」を「友引（月）」、また、登録番号０２の「データ１」を「７」、「データ２」を「先負（火）」と登録する。さらに、「データ１」を「２罫幅」、「データ２」を「１罫幅」のサイズに設定し、データを並記する方向を「縦方向」（図１３（ａ）参照）に設定する。また、対応サイズや対応罫を貼着対象物Ｎに合わせ、さらに行幅倍率選択画面で「１罫」（テープＴの１行幅と貼着対象物Ｎの１罫幅が同サイズ）と設定すれば、図示のような「ダイアリーラベル」として利用することができる。
【０１１３】
なお、この場合、各日単位のブロックの途中ではなく、各ブロック毎の切れ目（太線部）でテープＴが切断されるよう構成することが好ましい。また、これらのデータを記憶した外部記憶装置を接続して、本発明の印刷装置にデータを入力するようにしても良い。この構成によれば、データを登録する手間が省け、容易に「ダイアリーラベル」を作成することができる。
【０１１４】
以上、説明したとおり、本発明の印刷装置１および印刷方法によれば、所定の規格で定められた罫幅に合わせてテープＴの行幅の設定を行うと共に、設定された行幅でキャラクタを印刷するため、キャラクタが印刷されたテープＴを、罫を有する貼着対象物Ｎに貼着した場合、テープＴの行幅と貼着対象物Ｎの罫幅が一致するため見栄えがよくなる。また、印刷するデータがグループ化された状態で記憶されているため、必要なグループだけを指定して、そのグループに属するキャラクタデータのみを印刷することができる。さらに、グループの中から、所望する識別データを指定して、この識別データに該当するキャラクタデータのみを印刷することができる。すなわち、貼着対象物Ｎに貼着した場合に見栄えがよく、且つユーザのニーズに合った印刷内容の印刷物を作成することができる。
【０１１５】
なお、データの識別は１つのグループ内（上記実施例では「Ｇ０２」内）のみで行われるものとしたが、対象となるグループを複数選択し、その中に登録されたデータの全てを対象として、指定した識別データに該当するものを印刷するようにしても良い。この場合、個々のキャラクタデータに対しグループ別に異なった「識別データ」を付すことで「グループ化」されていることが好ましい。この構成によれば、対象となるグループ内のキャラクタデータに付された「識別データ」を、単に無視して識別を行えばよいので、制御が容易になる。
【０１１６】
また、上記実施例では対応サイズと、対応罫幅はそれぞれ別の画面４１で選択したが、一画面において、これらを組み合わせた複数の選択肢の中から、選択するようにしても良い（例えば、「１号（７ｍｍ幅）」、「３号（７ｍｍ幅）」、「１号（６ｍｍ幅）」・・・など）。
【０１１７】
また、文字サイズ（キャラクタサイズ）を上記の実施例のように行幅単位ではなく、従来知られているように数値（ポイント数）入力で、指定できるようにしても良い。但し、この場合、キャラクタの縦サイズまたは横サイズが、所定の規格で定められた罫幅の１罫幅サイズのｋ倍（ｋは小数点第一位以下を切り捨てた整数）である場合、キャラクタが占有する行数を（ｋ＋１）に設定することが好ましい。
【０１１８】
この構成によれば、指定されたキャラクタの縦または横のサイズを、１罫幅の整数倍のサイズに納めることができるよう、キャラクタが占有する行数を設定することができるため、キャラクタがいかなるサイズに設定された場合でもずれがなくなり見栄えを良くすることができる。
【０１１９】
なお、この場合、１罫幅のサイズ×（ｋ＋１）からキャラクタの縦または横サイズを差し引いた残りの長さについては、上下に均等に余白として設定されることが好ましい。この構成によれば、より見栄えを良くすることができる。
【０１２０】
また、キャラクタ列を行方向に配置する場合の配置基準となる線であって、且つ行方向と平行な線を基準線としたとき、基準線間の距離ａ×ｍ（ｍは１以上の整数）の値と１罫幅サイズｂ×ｎ（ｎは１以上の整数）の値とが一致するように、キャラクタのサイズを設定できるよう構成することが好ましい。
【０１２１】
例えば、図１８（ａ）に示すように、基準線間の距離ａが３ｍｍで１罫幅サイズｂが７ｍｍのとき、ａとｂとの公倍数は、２１、４２・・・であるが、これら公倍数の中で「２１」という値になる場合（ａ×ｍとｂ×ｎの値が「２１」になる場合）を例に挙げると、ｍの値が７となり、ｎの値が３となる。すなわち、３罫幅サイズに７行のキャラクタ列が印刷可能となるようにキャラクタサイズを設定することができる。また、逆に、図１８（ｂ）に示すように、５罫幅サイズに２行のキャラクタ列を印刷するよう指定され、１罫幅サイズｂが７ｍｍの場合は、基準線間の距離ａが１７．５ｍｍ（ａ＝ｂ×５／２）となるように設定することができる。すなわち、この構成によれば、基準線間の距離、１罫幅サイズ、行数、罫数のうち、２以上のパラメータを指定することにより、その他のパラメータの値（又は値の候補）が抽出できる。従って、これにより、罫幅と印刷物の行幅とのずれをできるだけ無くし見栄えを良くすることができると共に、キャラクタのサイズを自由に設定することができる。
【０１２２】
なお、この場合、基準線間の距離ａに対してキャラクタが適度な余白を持って配置されるよう、キャラクタサイズが決定されることが好ましい。この構成によれば、行間隔が小さい場合に、文字が読みづらくなるなどの問題がなくなる。
【０１２３】
また、データの印刷順序を、所定の順序規則にしたがって変更可能に構成しても良い。例えば、上記の実施例において、所定の順序規則が「五十音順」である場合、複数の生徒名を五十音順に変更して印刷することができる（川相→清原→長嶋→二岡→仁志→元木→山田：元の登録順は図１０（ｂ）参照）。すなわち、ランダムに記憶された複数のキャラクタデータを、ユーザの所望する順序で印刷することができる。
【０１２４】
【発明の効果】
上述のように、本発明の印刷装置によれば、所定の規格で定められた罫幅に合わせてテープの行幅の設定を行うことができる。また、グループ単位で、且つ指定されたデータのみを識別して印刷することができる、などの効果がある。
【図面の簡単な説明】
【図１】  本発明の一実施形態に係る印刷装置を適用したテープ印刷装置の外観斜視図である。
【図２】  図１のテープ印刷装置に対応する開蓋状態の外観斜視図である。
【図３】  図１に示すテープ印刷装置の制御系のブロック図である。
【図４】  グループデータの登録方法の一例を画面表示で示す説明図である。
【図５】  図４に続く、グループデータの登録方法の一例を画面表示で示す説明図である。
【図６】  図５に続く、グループデータの登録方法の一例を画面表示で示す説明図である。
【図７】  グループデータの呼出方法および印刷方法の一例を画面表示で示す説明図である。
【図８】  図７に続く、グループデータの呼出方法および印刷方法の一例を画面表示で示す説明図である。
【図９】  図８に続く、グループデータの呼出方法および印刷方法の一例を画面表示で示す説明図である。
【図１０】  （ａ）グループ処理のメニュー、（ｂ）Ｇ０２に登録されたデータ、（ｃ）対応サイズのメニュー、（ｄ）対応罫幅のメニューを示す説明図である。
【図１１】  図７ないし図９の操作による印刷結果の一例を示す図である。
【図１２】  図１１とは別の印刷結果の一例を示す図である。
【図１３】  本発明の印刷方法による印刷結果の応用例を示す図である。
【図１４】  図１３とは別の本発明の印刷方法による印刷結果の応用例を示す図である。
【図１５】  さらに別の本発明の印刷方法による印刷結果の応用例を示す図である。
【図１６】  さらに別の本発明の印刷方法による印刷結果の応用例を示す図である。
【図１７】  選択可能な印刷方向の選択肢とその印刷結果を示す説明図である。
【図１８】  上記とは別の本発明の印刷方法による印刷結果の応用例を示す図である。
【図１９】  従来技術を示す説明図である。
【図１】
0004131084.tif 000002
【図２】
0004131084.tif 000003
【図３】
0004131084.tif 000004
【図４】
0004131084.tif 000005
【図５】
0004131084.tif 000006
【図６】
0004131084.tif 000007
【図７】
0004131084.tif 000008
【図８】
0004131084.tif 000009
【図９】
0004131084.tif 000010
【図１０】
0004131084.tif 000011
【図１１】
0004131084.tif 000012
【図１２】
0004131084.tif 000013
【図１３】
0004131084.tif 000014
【図１４】
0004131084.tif 000015
【図１５】
0004131084.tif 000016
【図１６】
0004131084.tif 000017
【図１７】
0004131084.tif 000018
【図１８】
0004131084.tif 000019
【図１９】
0004131084.tif 000020